(57)【要約】【課題】  スポット的に濃淡コントラストを強調して現出させた星月菩提樹の実を用いた数珠玉の藍染方法を提供する。【解決手段】  星月菩提樹の実のうちで凹凸の無い滑らかな球面部分には比較的薄く藍染液を被膜残留させ、また凹部の月部と星部には窪み内部に藍染液を球面部分と比べて多量にスポット残留させて、その後に星月菩提樹の内部組織に各々浅く又は深く浸潤させた藍染液を空気中に晒してインディゴを酸化発色させる際に、浸潤させた藍染液の量の差により、異なるスポット的な色彩的濃淡コントラストを強調して現出させる。【選択図】図２
2019119965.tif 000002
【特許請求の範囲】
【請求項１】
藍染のスポット的な濃淡コントラストを強調した星月菩提樹の実の藍染方法において、
星月菩提樹の実の球面部分を研磨して、該実の月部と星部の窪み上部に開口部を広く表出させ；
該研磨した星月菩提樹の実を所定時間だけ藍染液中に漬け浸し、藍染液を実の球面部分および月部と星部の窪み内の壁面内に、均一に表面浸潤させ；
該藍染液を表面浸透させた星月菩提樹の実を藍染液から取り出す際に、実の滑らかな球面部分には藍染液を薄く被膜残留させた状態で、かつ前記広く表出させた月部と星部には前記開口部から窪み内部に、前記球面部分に被膜残留させた藍染液と比べて、比較的多めの藍染液をスポット残留させた状態で取り出し；
所定時間経過するまで、前記球面部分に薄く被膜残留させた藍染液を球面直下の内部組織に浅く表面浸潤させると共に、前記月部と星部の窪みにスポット残留させた多めの藍染液を実の窪み近傍の内部組織に深く含侵浸潤させ；
最後に球面部分で浅く表面浸潤させた藍染液を空気中に晒すことでインディゴを酸化発色させて表面染色を行い、同時に月部と星部で深く含侵浸潤させた藍染液を空気中に晒すことでインディゴを酸化発色させて含侵染色を行い、更に前記内部に含侵した藍染液を次々に窪み表面に滲出させることによりインディゴの酸化発色を繰り返す含侵染色を繰り返し、実の内部組織に浸潤した藍染液の量の差により、球面部分の前記表面染色と、月部と星部の前記含侵染色において、スポット的に異なる濃淡コントラストを強調して現出させる星月菩提樹の実の藍染方法。
【請求項２】
請求項１記載の藍染のスポット的な濃淡コントラストを強調させる星月菩提樹の実の藍染方法により染色した星月菩提樹の実を数珠玉として使用する仏具用の数珠。
【請求項３】
請求項１記載の藍染のスポット的な濃淡コントラストを強調させる星月菩提樹の実の藍染方法により染色した星月菩提樹の実を装飾玉として使用する装飾用品。
【発明の詳細な説明】
【技術分野】
【０００１】
本願発明は、スポット的な濃淡コントラストを強調した星月菩提樹（セイゲツ・ボダイジュ）の実の藍染方法と、その藍染した星月菩提樹の実を用いた数珠玉に関する。星月菩提樹の実の表面には、1つの比較的大きな丸い窪み（月部）と、多数の小さな窪み（星部）が散在するのが特徴である。特に本願発明は、星部および月部の窪み部分と、それ以外の滑らかな球面部分との間で、藍染処理された藍色濃度のスポット的な濃淡コントラストを強調させる藍染方法に関する。この藍染処理された星月菩提樹の実は、例えば仏具の数珠玉や数珠の他に、装飾用のブレスレット等にも使用される。
【背景技術】
【０００２】
菩提樹は、釈尊(お釈迦様)がこの木の下で悟りを開いた尊い縁起の木と言われており、この菩提樹の実は数珠玉として広く用いられている。種々の菩提樹があり、例えば星月菩提樹の他には、金剛菩提樹、蓮華菩提樹、鳳眼菩提樹、天竺菩提樹等があるが、日本では上記の星月菩提樹が、数珠の素材として最も親しまれており、使うほどに艶が増すのが特徴である。仏教界では星月菩提樹の実は、宇宙(大日如来)を意味し、一つの実の球表面には、夜空のように比較的大きな一つの窪み(月部)と多数の小さな窪み（星部）とが現れる。この星月菩提樹の実は、一般には素地表面を磨き上げて宗派により所定の個数だけ素地のまま中通しの紐を挿通して数珠として用いられている。
【０００３】
この場合、図３に示すような素地のままの星月菩提樹の実は、永年の使用による経年変化と人の皮脂等を吸着することにより自然変色し、独特の色合いとなる。場合によっては、素地にワックスやガラスコーティング仕上げを施すことがあるが、従来の星月菩提樹の実を用いた数珠では特に着色処理されることもなく、素地そのままであり地味な色合いである場合が多い。
【０００４】
また図４に示すような素地の星月菩提樹の実を脱色処理して使用する場合もある。このような脱色処理された星月菩提樹の実は全体に白色の木地となり、その白色の木地の中に月部と星部が浮き出る数珠玉となる。この場合、素地の星月菩提樹の実が数珠として使用されると全体として落ち着いた色合いではあるが、反面ではやや色彩的に乏しいという性格を有する。また脱色処理された星月菩提樹の実を用いた数珠は、全体的に清潔感がある明るい色調になる反面、色彩的に深みが乏しいという欠点を有する。
【０００５】
一方、数珠玉には菩提樹の実以外にも種々の天然木素材が使用される。例えば縞黒檀（しまこくたん）、黒檀、紫檀、栴檀（せんだん）、柘植（つげ）等があり、特に図５に示すような柘植材の数珠玉では素地のままの数珠や、またジャパンブルーと呼ばれる高貴な彩りにするために藍染処理を施して複数個の数珠玉毎に異なる濃度の藍染処理を施し、全体として色彩的グラデーションを付加して組み上げた数珠もある。ただしこの藍染処理された柘植玉は、その表面には窪みが無く滑らかな球面部で構成されているため、藍染した個々の数珠玉の色合いは比較的単調でありこの場合も色彩的変化に乏しいという性格を有する。
【０００６】
更に図６には、比較的柔らかく、かつ年輪がある木質である檜等に藍染処理した数珠玉が示されている。この檜玉に藍染処理を施せば、年輪に沿って線状に濃淡コントラストを強調させることができる。ただしこの場合は、藍染自体による濃淡コントラストではなく、単に藍染処理された檜の木目が透けて見える留まり、全体としてのグラデーションが単調であり色彩的な深みに欠ける難がある。すなわちこの檜の数珠玉では、檜の数珠玉を藍染め溶液中に所定の時間だけ浸すことにより、木地表面に均一に表面染色が行われる。換言すれば、この藍染処理は、素地の檜玉の表面上に現出している夏目と冬目の年輪に対して均等に表面染色することにより年輪が透けて見えることになる。なおここで言う「表面染色」とは、染色対象の例えば数珠玉表面の比較的浅い層に藍染め溶液を表面浸潤させ、この浅く浸潤させた藍染め溶液中のインディゴを酸化発色させる染色処理をいう。この表面染色に対して、「含侵染色」とは染色対象を染色液に浸潤させた後に取り出し、染色対象の窪み内に染色液を残留させて、染色液を比較的長時間に渡り深い内部組織まで含侵させ、この含侵残留させた藍染め溶液中のインディゴを長時間に渡り酸化発色させることで、表面染色と比較して濃い藍色に発色させる染色処理をいう。
【０００７】
すなわちこの檜玉の表面染色では、夏目の年輪部分が冬目の年輪部分よりも濃く藍染染色されるのではない。すなわち表面染色と含侵染色による藍染の濃淡ではなく、単に夏目と冬目の年輪に対し均等に表面染色された藍染の藍色を通して年輪が透けて見えているに過ぎない。すなわち藍染自体による色彩的な濃淡コントラストによるグラデーションが現出しているのではなく、均一に表面染色された年輪が透けて現出しているに過ぎない。このため藍染自体による濃淡コントラストが得られていないため、藍染による深い色合いによって醸し出される審美的な効果が低いという欠点を有する。
【０００８】
天然藍による藍染め木地製品およびその製造方法としては、例えば特開2005-169883には、天然の藍染料（藍染液）で木地表面を染色し、乾燥させ無公害の塗装を行い研磨することを要旨とする藍染め木地製品およびその製造方法が開示されている。この藍染処理では、染色前の下地研磨をサンドペーパーで磨かれた白くて木目の粗い自然樹木に施し、これにより染色後の色素の発色で木地表面の木目が浮き出るばかりか、色調の濃淡が好都合に具現し、藍特有の渋みと落ち着きのある色合いを呈するように構成されている。しかしながらこの引例に係る自然樹木に施される藍染処理は、白くて木目の粗い素材を前提としており、本願発明のような多数の小さな凹部である窪みを有する星月菩提樹の実に施す藍染処理とは前提を異にする。すなわちこの引例による藍色の色調の濃淡は、サンドペーパーで磨いた白くて木目の粗い自然樹木に浮き出るものであり、本願発明のような星月菩提樹の硬い実の表面に散在する多数の小さな窪みである星部と月部に藍染液中のインディゴが含侵残留した後に、酸化発色してスポット的な濃淡コントラストが現出することを想定していない。
【先行技術文献】
【特許文献】
【０００９】
【特許文献１】特開2005-169883号公報
【発明の概要】
【発明が解決しようとする課題】
【００１０】
解決しようとする問題点は数珠玉の従来技術に係る藍染方法では、数珠玉の凹凸の無い滑らかな球面部分に対して藍染による表面染色を行っているため、藍染自体による色彩上のスポット的な濃淡コントラストが現出せず、グラデーション効果が薄いという点である。
【課題を解決するための手段】
【００１１】
本願発明は、滑らかな球面部分を一様に藍染液で発色させるのではなく、星月菩提樹の実の凹凸の無い滑らかな球面部分には表面染色を行うことで淡い藍色を現出させる一方で、凹状の星部と月部には含侵染色を行い濃い藍色を発色させることにより、表面染色した淡い藍色と、含侵染色させた星部と月部におけるスポット状の濃い藍色、との両者が醸し出すスポット的な濃淡コントラストを強調させることを特徴とする藍染方法に関する。
【発明の効果】
【００１２】
本願発明の星月菩提樹の実の藍染方法では、実の滑らかな球面部分には表面染色による淡い藍色を発色させ、凹部である月部と星部には含侵染色による点状の濃い藍色を発色させることにより、従来の均一的濃度となる藍染方法と異なり、藍色のスポット的な濃淡コントラストを強調させることが可能となる利点を有する。
【図面の簡単な説明】
【００１３】
【図１】図１（A）は星月菩提樹の実の表面を示す平面図であり、（B）はX-X線での断面図である。
【図２】図２は図１（B）のY部の拡大図であり、（A）は星月菩提樹の実を容器内の藍染液に完全に浸した状態を示す断面図である。（B）は星月菩提樹の実を藍染液から取り出した直後、実の球面部分には僅かに残留藍染液が薄く被膜残留し、月部と星部の窪み内には残留藍染液が多めにスポット残留している状態を示す断面図である。また（C）は月部と星部の残留藍染液が、所定時間経過後に内部に深く含侵した状態を示す断面図である。
【図３】図３は従来の星月菩提樹の実の素地のまま、中通しの紐を挿通した数珠を示す外観図である。
【図４】図４は従来の脱色処理された星月菩提樹の実を示す外観図である。
【図５】図５は従来の柘植材の数珠玉毎に異なる濃度の藍染処理を施すことで、複数個の数珠玉で色彩的濃淡コントラストを現出させグラデーション効果を付加した数珠を示す外観図である。
【図６】図６は従来の比較的柔らかい木質である檜玉に藍染処理を施し、年輪が透けて見える数珠玉を示す外観図である。
【発明を実施するための形態】
【００１４】
一般的に藍による染色は，インディゴが生成した状態の染料を、建て染めという方法で行うのが通常の方法である。インディゴは水に溶けないが、還元体は塩基性の水溶液に可溶であるので、古くは微生物の発酵により、また現代では化学的な還元剤によりインディゴを還元させる。すなわち藍に「灰汁（あく。アルカリ分）」を加え、栄養分（アルコールなど）と温度などで環境条件を整えて発酵菌を育て、結果として水素を発生させ、この水素でインディゴを還元させる。そして水溶性のロイコ体に変えて繊維等に浸み込ませ、繊維内部で空気酸化によって元のインディゴに戻すことにより染色が行われる。水に不溶の藍の染料を可溶化させ、染色可能な状態にすることを「藍を建てる」といい、発酵によるものを「発酵建て」、薬品によるものを「化学建て」というが、本願発明では何れの方法、或いは他の従来技術に係る方法で藍を建ててもよい。
【００１５】
インディゴの染色は、一般的には浸染法（しんせんほう）が適用される。インディゴを還元溶解したものを水で薄めて、適当なインディゴ濃度の藍染液を作成する。この液の中へ本願発明では被染色体である星月菩提樹の実を漬け浸し、還元液を所定時間吸収させた後に取り出し、空気中で酸化させ固着させる。このサイクルを何回か繰り返し、目的の濃淡レベルを有する藍色に発色させる。
【００１６】
本願発明で用いる星月菩提樹の実は、図４に示すような素地の星月菩提樹の実を脱色処理した従来のものを用いて藍染処理を行なう。脱色処理した星月菩提樹の実を使用するのは、素地のままの実の表面に藍染処理した場合は藍色が強く発色し難いためである。なお脱色処理した後にワックス塗装して更に色彩を際立たせても、或いはワックス塗装しないままでもよい。両者にこの後に藍染処理を施すと各々異なる色彩感覚が得られるが、その差異は本願発明の中心的な技術思想ではないので詳述は省略する。
【００１７】
図１は、脱色処理された星月菩提樹の実の表面を示す平面図であり、（B）はX-X線での断面図である。（A）には一つの比較的大きな黒点で示す一つの月部と、多数の小さな星部が表出している。そしてX-X線での断面図である（B）に示すように、上記月部と星部は、表面から一定の深さを有する窪みとなっている。一般的には月部の方が星部よりも深い窪みを形成し、且つ上部の開口部は広い。一つの実には一つの月部と、不特定多数個の星部が散在している。すなわち星月菩提樹の実の表面には天然の半穴状の窪みである一つのヘタと多数のゴマが散在している。そしてこのヘタの半穴を「月部」とみなし、また多数のゴマ黒点色を「星部」とみなし、昔から星月菩提の貴重な実として扱ってきた。また１つの実の中に現出する星部と月部は大宇宙を表現しており、これは仏教の考えに由来している。これ等の半穴状の窪みである「月部」と「星部」は、半穴の深さが異なり、月部は深く、星部は比較的浅い。
【００１８】
そして本願発明に係る藍染方法では、第一ステップとして、この星月菩提樹の実の表面を既存技術により研磨し、その後、脱色処理または脱色処理無しの素肌のままで、上記月部と星部で広い開口部を表出させる。この研磨後の状態は、従来例に係る図４に示した状態となる。なお研磨処理および脱色処理については、本願発明の中心的な技術思想ではないので詳説を避ける。
【００１９】
本願発明に係る藍染方法の第二ステップとして、月部と星部で広い開口部を表出させた上述の星月菩提樹の実を、図２（A）に示すように、所定のインディゴ濃度の藍染液に所定時間だけ完全に漬け浸す。藍染液の濃度および漬け浸し時間は、所望の藍染濃度に星月菩提樹の実が染色されるように任意に決めればよいが、通常の藍染液の濃度であれば例えば１〜３分程度でよい。ただしこの漬け浸し時間は本願発明の技術的思想を特定する意図ではない。この場合、藍染液は実の球面部分および月部と星部の窪み内の壁面内には、ほぼ均一に表面浸潤する。
【００２０】
次に第三ステップとして、この漬け浸した星月菩提樹の実を藍染液から取り出す。取り出した星月菩提樹の実は、図２（B）に示すように、第二ステップで既に藍染液が表面浸潤した状態で取り出される。この場合、球面部分には僅かな残留藍染液が薄く被膜残留する。他方、月部と星部には上述の開口部から窪み内部に流入した藍染液を保持したままの状態で取り出され、結果として月部と星部内部には藍染液がスポット的にスポット残留する。なお星月菩提樹の実を藍染液から取り出した際に月部と星部内部にだけ藍染液がスポット残留するのは、液体の表面張力によるためである。また窪み容積が大きい月部の方が、窪み容積の小さい星部に比較して多めの藍染液が残留することになる。換言すると月部と星部には、球面部分と比較して多めの藍染液がスポット的に残留することになる。
【００２１】
そして第四ステップとして所定時間経過まで、図２（C）に示すように、上記球面部分に薄く被膜残留した藍染液を球面直下の内部組織に浅く表面浸潤させると共に、前記月部と星部にスポット的に含侵残留した多めの藍染液を実の窪み近傍の内部組織に深く含侵浸潤させる。この場合、月部と星部を比べると、スポット残留した藍染液は当然月部の方が多くの藍染液が残留しているので更に深い内部組織にまで含侵浸潤することになる。
【００２２】
最後に本願発明の第五ステップとして、球面部分で浅く表面浸潤させた藍染液を空気中に晒すことでインディゴを酸化発色させて表面染色を行う。同時に月部と星部では深く含侵浸潤させた藍染液を空気中に晒すことでインディゴを酸化発色させて含侵染色を行う。そして内部に含侵した藍染液を次々に窪み表面に滲出させることによりインディゴの酸化発色を行う含侵染色を繰り返す。すなわち藍染液を空気中に晒す際に、空気と直接接すると表面が酸化され、かつ乾燥するに従い内部に含侵した藍染液が次々に表面に滲出し、このインディゴの酸化発色が繰り返される。この酸化発色の繰り返しは、実の内部に浸潤した藍染液が完全に滲出して乾燥するまで繰り返される。従って内部に浸潤した藍染液の量の差により、球面部分の表面染色と、月部と星部の含侵染色において、スポット的に異なる藍染めの濃淡コントラストを強調させることが可能となる。この点、例えば従来例に係る図６に示した檜玉への藍染処理では、檜玉表面で均等に藍色が発色して木地の夏目と冬目が単に透けて見える藍染方法とは根本的に異なる。
【００２３】
なお上記藍染方法では、インディゴを還元溶解した藍染液中のへの漬け浸し過程と、空気中でのインディコを酸化固定させる藍色への発色過程は、藍色の発色が所望の濃さになるように適宜その処理回数を変更すれば、全体的な藍色の濃度を調整することも当然可能となる。
【産業上の利用可能性】
【００２４】
このように藍染液に漬け浸した星月菩提樹の実のうちで、凹凸の無い滑らかな球面部分には比較的薄く藍染液が被膜残留し、これに対し凹部の月部と星部には窪み内部に藍染液が球面部分と比較して多めにスポット残留することになる。そしてその後に行う空気中でのインディコを酸化固定させる過程で、スポット的に濃淡コントラストを強調して現出させる藍染が可能となる。なお本願発明に係る藍染方法は、月部と星部という窪みを有した星月菩提樹の実に対し、従来の藍染処理と類似する処理過程を流用することで、スポット的に藍染の濃淡コントラストを現出させることが可能であるため、処理過程が極めて簡単である。このことは、例えば出願人が実際に経営する知的障がい者支援のための作業場で行う単純な藍染作業により、星月菩提樹の実に対しスポット的に異なる濃淡コントラストを付加する藍染を可能とし、更には伝統的な仏具には今まで存在しなかった装飾性豊かな数珠や、装飾用品を生み出すことができる利点を有する。
【図１】
2019119965.tif 000003
【図２】
2019119965.tif 000004
【図３】
2019119965.tif 000005
【図４】
2019119965.tif 000006
【図５】
2019119965.tif 000007
【図６】
2019119965.tif 000008
【手続補正書】
【提出日】平成31年3月16日(2019.3.16)
【手続補正１】
【補正対象書類名】特許請求の範囲
【補正対象項目名】全文
【補正方法】変更
【補正の内容】
【特許請求の範囲】
【請求項１】
藍染のスポット的な濃淡コントラストを強調した星月菩提樹の実の藍染方法において、
星月菩提樹の実の球面部分を研磨して、該実の月部と星部の窪み上部に開口部を広く表出させ；
該研磨した星月菩提樹の実を所定時間だけ藍染液中に漬け浸し、藍染液を実の球面部分および月部と星部の窪み内の壁面内に、均一に表面浸潤させ；
該藍染液を表面浸透させた星月菩提樹の実を藍染液から取り出す際に、実の滑らかな球面部分には藍染液を薄く被膜残留させた状態で、かつ前記広く表出させた月部と星部には前記開口部から窪み内部に、前記球面部分に被膜残留させた藍染液と比べて、比較的多めの藍染液をスポット残留させた状態で取り出し；
所定時間経過するまで、前記球面部分に薄く被膜残留させた藍染液を球面直下の内部組織に浅く表面浸潤させると共に、前記月部と星部の窪みにスポット残留させた多めの藍染液を実の窪み近傍の内部組織に深く含侵浸潤させ；
最後に球面部分で浅く表面浸潤させた藍染液を空気中に晒すことでインディゴを酸化発色させて表面染色を行い、同時に月部と星部で深く含侵浸潤させた藍染液を空気中に晒すことでインディゴを酸化発色させて含侵染色を行い、更に前記内部に含侵した藍染液を次々に窪み表面に滲出させることによりインディゴの酸化発色を繰り返す含侵染色を繰り返し、実の内部組織に浸潤した藍染液の量の差により、球面部分の前記表面染色と、月部と星部の前記含侵染色において、スポット的に異なる濃淡コントラストを強調して現出させる星月菩提樹の実の藍染方法。
【請求項２】
スポット的に異なる濃淡コントラストを強調して現出した星月菩提樹の実を数珠玉として使用する仏具用の数珠において、
該星月菩提樹の実の表面には、球面部分と、該球面部分の表面上にスポット的に点在する1つの月部と複数個の星部とを有し；
前記球面部分は、藍染液中に漬け浸した際に表面浸潤した藍染液中のインディゴが酸化発色することで得られた薄い藍色の表面色彩を有し；
前記月部と複数個の星部は、藍染液中に漬け浸した際に内部組織に深く含侵浸潤した藍染液中のインディゴが酸化発色することで得られた濃い藍色のスポット色彩を有し；
前記球面部分の薄い藍色の表面色彩と、前記月部と複数個の星部の濃い藍色のスポット色彩とが、異なる濃淡コントラストとして現出した星月菩提樹の実を数珠玉として使用したことを特徴とする仏具用の数珠。
【請求項３】
スポット的に異なる濃淡コントラストを強調して現出した星月菩提樹の実を装飾玉として使用する装飾用品において、
該星月菩提樹の実の表面には、球面部分と、該球面部分の表面上にスポット的に点在する1つの月部と複数個の星部とを有し；
前記球面部分は、藍染液中に漬け浸した際に表面浸潤した藍染液中のインディゴが酸化発色することで得られた薄い藍色の表面色彩を有し；
前記月部と複数個の星部は、藍染液中に漬け浸した際に内部組織に深く含侵浸潤した藍染液中のインディゴが酸化発色することで得られた濃い藍色のスポット色彩を有し；
前記球面部分の薄い藍色の表面色彩と、前記月部と複数個の星部の濃い藍色のスポット色彩とが、異なる濃淡コントラストとして現出した星月菩提樹の実を装飾玉として使用したことを特徴とする装飾用品。